(57)【要約】  【課題】  少なくとも１個の光学素子を用いることで、簡単に小型化（薄型化）を図った変倍光学系等を提供する。  【解決手段】  変倍光学系ＯＳは、物体側からの光線を撮像素子ＳＲの受光面上に結像させる複数のレンズ群（ＧＲ１〜ＧＲ５）と、これらの複数のレンズ群（ＧＲ１〜ＧＲ５）に導かれる光線の光路を屈折させる光学プリズムＰＲと、を含んでいる。その上、この変倍光学系ＯＳは、アナモフィックレンズＬ１も含んでいる。そして、このアナモフィックレンズＬ１は、光線の光束を光軸ＡＸに対して非軸対称に変化させるようになっている。【選択図】      図１
2007065528.tif 000002
【特許請求の範囲】
【請求項１】
物体側からの光線を撮像素子の受光面上に結像させる複数のレンズ群と、
上記複数のレンズ群に導かれる上記光線の光軸を屈折させる光軸変更素子と、
を含む変倍光学系であって、
第１型光学素子が含まれており、
この第１型光学素子は、光束を光軸に対して非軸対称に変化させることを特徴とする変倍光学系。
【請求項２】
上記第１型光学素子は、光軸に対して直交する複数の異なる方向毎に対応した屈折力を有していることを特徴とする請求項１に記載の変倍光学系。
【請求項３】
光軸に対して直交する複数の異なる方向において、互いに直交する方向を、第１方向および第２方向と表す場合、
上記第１型光学素子は、その第１型光学素子における第２方向に対応する屈折力を、第１方向に対応する屈折力よりも強くしていることを特徴とする請求項１または２に記載の変倍光学系。
【請求項４】
上記光軸変更素子へ入射する光線の光軸方向を入射方向と表す一方、光軸変更素子によって屈折される光線の光軸方向を射出方向と表す場合、
光軸変更素子は、入射方向と射出方向との成す角度を略９０°にするように光軸を屈折させており、
上記の第１型光学素子は、射出方向に対する上記第２方向を、入射方向に一致させるように配置されていることを特徴とする請求項３に記載の変倍光学系。
【請求項５】
上記の複数のレンズ群および光軸変更素子によって導かれることで、撮像素子の受光面上に結像する光束を、上記の第１方向および第２方向に対応した第１幅長Ｄ１および第２幅長Ｄ２によって表す一方、
上記の第１型光学素子、複数のレンズ群、および光軸変更素子によって導かれることで、撮像素子の受光面上に結像する光束を、上記の第１方向および第２方向に対応した第１幅長ＤＤ１および第２幅長ＤＤ２によって表す場合、
第１型光学素子は、下記関係を満たすような第１幅長ＤＤ１および第２幅長ＤＤ２で表される光束を形成していることを特徴とする請求項３または４に記載の変倍光学系。
ＤＤ１＝Ｄ１×Ｋ１
ＤＤ２＝Ｄ２×Ｋ１×Ｋ２（なお、０．６０≦Ｋ２≦０．９５）
ただし、
Ｋ１：撮像素子の受光面上において、光束の第１方向に対応する幅長に関する倍率係数
Ｋ２：撮像素子の受光面上において、光束の第２方向に対応する幅長に関する倍率係数
である。
【請求項６】
上記第１型光学素子は、上記光軸変更素子よりも物体側に配置、または、上記光軸変更素子に取り付けられていることを特徴とする請求項１〜５のいずれか１項に記載の変倍光学系。
【請求項７】
上記第１型光学素子は、アナモフィックレンズ、シリンドリカルレンズ、トロイダルレンズ、自由曲面レンズ、曲面反射ミラー、または曲面反射プリズムであることを特徴とする請求項１〜６のいずれか１項に記載の変倍光学系。
【請求項８】
上記第１型光学素子は、変倍のときに、不動になっていることを特徴とする請求項１〜７のいずれか１項に記載の変倍光学系。
【請求項９】
第２型光学素子が含まれており、
この第２型光学素子は、上記の第１型光学素子によって非軸対称に変化させられた光束を、光軸に対して軸対称な光束に変化させることを特徴とする請求項１〜８のいずれか１項に記載の変倍光学系。
【請求項１０】
上記第２型光学素子は、上記光軸変更素子よりも像側に位置するレンズ群で、最も径の大きなレンズ群よりも、像側に配置されていることを特徴とする請求項９に記載の変倍光学系。
【請求項１１】
請求項１〜１０のいずれか１項に記載の変倍光学系を備えた撮像装置。
【請求項１２】
請求項１〜８のいずれか１項に記載の変倍光学系を備えるとともに、
上記撮像素子の受光面への光束に基づいて、その撮像素子により生成される画像データを処理する制御部が備えられており、
この制御部は、上記の第１型光学素子によって非軸対称に変化させられた光束に基づく画像データを処理することで、軸対称の光束を示す画像データに変換することを特徴とする撮像装置。
【請求項１３】
光軸に対して直交する複数の異なる方向において、互いに直交する方向を、第１方向および第２方向と表す場合に、
上記制御部は、予め定められた伸長係数を用いて、上記撮像素子の受光面上での上記第２方向に対応する光線に基づく画像データを伸長処理するようになっており、
その伸長係数は、上記撮像素子の受光面上での第２方向に対応する光線の倍率から求められることを特徴とする請求項１２に記載の撮像装置。
【請求項１４】
光軸に対して直交する複数の異なる方向において、互いに直交する方向を、第１方向および第２方向と表す一方、
上記光軸変更素子に入射する光線の光軸方向を入射方向とし、光軸変更素子によって屈折される光線の光軸方向を射出方向と表す場合、
光軸変更素子が、入射方向を撮像装置において最も薄い厚み部分における方向に一致させるように配置されるとともに、入射方向と射出方向との成す角度を略９０°にするように光軸を屈折させており、
第１型光学素子は、射出方向に対する上記第２方向を、入射方向に一致させるように配置されていることを特徴とする請求項１１〜１３のいずれか１項に記載の撮像装置。
【発明の詳細な説明】
【技術分野】
【０００１】
本発明は、変倍光学系、およびデジタルスチルカメラ等の撮像装置に関するものである。
【背景技術】
【０００２】
近年、パーソナルコンピュータ（ＰＣ）の普及に伴い、手軽に画像を取り込めるデジタルスチルカメラ（ＤＳＣ）が普及している。そして、このようなデジタルカメラにも、銀塩フィルムを用いたカメラ（銀塩カメラ）同様に、多機能化や小型化（薄型化）が要望されている。
【０００３】
多機能化の一例として、パノラマ画像を撮影できるＤＳＣ（撮像装置）が挙げられる。例えば、特許文献１のＤＳＣは、被写体からの光線をシリンドリカルレンズを介して取得することで、比較的画角の大きな光線を取得できるようにし、パノラマ画像を撮影している。特に、この特許文献１のＤＳＣでは、シリンドリカルレンズが光路上から挿抜でき、容易に画角の異なる撮像画像を取得できるようになっている。
【特許文献１】特開２００５−６２５３１号公報
【発明の開示】
【発明が解決しようとする課題】
【０００４】
しかしながら、この特許文献１のＤＳＣは、シリンドリカルレンズをパノラマ画像を取得するために使用しているのみであり、このシリンドリカルレンズを用いて、サイズの小型化を図っているわけでない。
【０００５】
本発明は、上記の問題点を解決するためになされたものであって、その目的は、少なくとも１個の光学素子を用いることで、簡単に小型化（薄型化）を図った変倍光学系等を提供することにある。
【課題を解決するための手段】
【０００６】
本発明は、物体側からの光線を撮像素子の受光面上に結像させる複数のレンズ群と、複数のレンズ群に導かれる光線の光軸を屈折させる光軸変更素子と、を含む変倍光学系である。この変倍光学系には、第１型光学素子が含まれている。そして、第１型光学素子は、光束を光軸に対して非軸対称に変化させるようになっている。
【０００７】
かかる変化は、第１型光学素子が、光軸に対して直交する複数の異なる方向毎に対応した屈折力を有していることから生じる。例えば、光軸に対して直交する複数の異なる方向において、互いに直交する方向を、第１方向および第２方向と表す場合、第１型光学素子は、その第１型光学素子における第２方向に対応する屈折力（パワー）を、第１方向に対応する屈折力よりも強くしている。
【０００８】
このような構成によると、第１型光学素子によって、光軸に直交する一方向（例えば第２方向）に対応した光束の幅が比較的短くなる。そのため、複数のレンズ群（ひいてはレンズ）は、短くなった（圧縮された）光束を集光できる径（サイズ）を有すればよいことになる。すると、第１型光学素子の有る変倍光学系は、第１型光学素子の無い変倍光学系に比べて、レンズ群の径を小さくできる（第１型光学素子によるコンパクト効果が奏じる）。
【０００９】
その上、本発明の変倍光学系では、光軸変更素子が、光軸を屈折（直角屈折等）させることで、コンパクト化も実現している（光軸変更素子によるコンパクト効果が奏じる）。例えば、光軸変更素子に入射する光線の光軸方向を入射方向と表す一方、光軸変更素子によって屈折される光線の光軸方向を射出方向と表す場合、光軸変更素子は、入射方向と射出方向との成す角度を略９０°にするように光軸を屈折させている。かかる場合、変倍光学系は、入射方向に沿った長さを短くしているといえる。
【００１０】
すると、本発明のように、第１型光学素子と光軸変更素子とを備える変倍光学系では、第１型光学素子のコンパクト効果と光軸変更素子のコンパクト効果とが相まって、一層の変倍光学系のコンパクト化が実現している。つまり、本発明は、少なくとも１個の光学素子（第１型光学素子）を用いることで、簡単にコンパクト化（薄型化）を図った変倍光学系になっている。
【００１１】
なお、第１型光学素子のコンパクト効果と光軸変更素子のコンパクト効果との相乗効果を効果的に発揮させるために、好ましい配置がある。例えば、光軸変更素子の射出方向において光束の圧縮される方向（例えば射出方向に直交する第２方向）が、光軸変更素子への入射方向と同方向になるような配置である。すなわち、第１型光学素子が、射出方向に対する第２方向を、光軸変更素子への光線の入射方向に一致させるような配置である。
【００１２】
かかるような配置が維持されていると、光軸変更素子によって短くなる方向（入射方向）と、第１型光学素子によって短くなる方向（圧縮方向；第２方向）とが一致する。そのため、かかる変倍光学系は、確実に、第１型光学素子のコンパクト効果と光軸変更素子のコンパクト効果との相乗効果を効果的に発揮できる。
【００１３】
また、第１型光学素子を用いて光束を非軸対称にした場合（光束を圧縮した場合）、諸収差が生じるおそれもある。そのため、諸収差の発生を抑制しつつ、変倍光学系のコンパクト化を図る範囲で、光束が圧縮されることが望ましい。
【００１４】
かかる範囲の一例を挙げる。まず、複数のレンズ群および光軸変更素子によって導かれることで、撮像素子の受光面上に結像する光束を、上記の第１方向および第２方向に対応した第１幅長Ｄ１および第２幅長Ｄ２によって表す。一方、第１型光学素子、複数のレンズ群、および光軸変更素子によって導かれることで、撮像素子の受光面上に結像する光束を、上記の第１方向および第２方向に対応した第１幅長ＤＤ１および第２幅長ＤＤ２によって表す。そして、第１型光学素子は、下記関係を満たすような第１幅長ＤＤ１および第２幅長ＤＤ２で表される光束を形成するようになっている。
【００１５】
ＤＤ１＝Ｄ１×Ｋ１
ＤＤ２＝Ｄ２×Ｋ１×Ｋ２（なお、０．６０≦Ｋ２≦０．９５）
ただし、
Ｋ１：撮像素子の受光面上において、光束の第１方向に対応する幅長に関する倍率係数
Ｋ２：撮像素子の受光面上において、光束の第２方向に対応する幅長に関する倍率係数
である。
【００１６】
ところで、第１型光学素子の位置は、特に限定されない。要は、変倍光学系をコンパクトにできるように、光束を圧縮できる位置に配置されていればよい。したがって、第１型光学素子は、光軸変更素子よりも物体側に配置されていてもよいし、光軸変更素子に取り付けられていてもよい。
【００１７】
また、第１型光学素子は、光束を非軸対称に変化させることのできるものであればよい。例えば、アナモフィックレンズ、シリンドリカルレンズ、トロイダルレンズ、自由曲面レンズ、曲面反射ミラー、または曲面反射プリズム等であればよい。
【００１８】
また、変倍光学系、各レンズ群の間隔を光軸に沿って変化させることで、変倍（ズーミング）や合焦（フォーカシング）等を行っている。しかしながら、かかる変倍等のときの変倍光学系では、第１型光学素子が不動になっていると望ましい。かかる構成であれば、第１型光学素子の移動に起因する諸収差の発生が抑制されるためである。
【００１９】
ところで、撮像素子に入射する光束は、非軸対称な光束ではなく、光軸対称な光束が望ましい。そこで、本発明の変倍光学系では、第１型光学素子によって変形された非軸対称の光束を、軸対称の光束に戻すための第２光学素子が設けられている。例えば、この第２型光学素子は、第１型光学素子同様に、光線の光軸に対して直交する複数の異なる方向毎に対応した屈折力を有している。
【００２０】
ただし、第２型光学素子は、第１型光学素子によって形成される非軸対称の光束を、軸対称の光束に変化させなくてはならない。そのため、第２の光学素子は、第１の光学素子とは逆のパワー関係になっている。例えば、第１型光学素子が、その第１型光学素子における第２方向に対応する屈折力を、第１方向に対応する屈折力よりも強くしている場合、第２型光学素子は、その第２型光学素子における第２方向に対応する屈折力を、第１方向に対応する屈折力よりも弱くしている。かかる構成であれば、第２型光学素子は、第１型光学素子によって圧縮された光束における方向（第２方向）を伸長できる。
【００２１】
なお、第１型光学素子は、変倍光学系におけるレンズ群の径を圧縮するために設けている。すると、圧縮された光束によってレンズ径のコンパクト化を最も図ったレンズ群（コンパクトになっているものの最も径の大きなレンズ群）へ光線の到達する前に、第２型光学素子が位置していると、レンズ群のコンパクト化が図りにくいといえる。
【００２２】
そこで、本発明の変倍光学系では、第２型光学素子は、光軸変更素子よりも像側に位置するレンズ群で、最も径の大きなレンズ群よりも、像側に配置されていると望ましい。かかる構成であれば、最も径の大きなレンズ群は、確実に第１型光学素子によるコンパクト化の効果を受けることができる。
【００２３】
なお、撮像素子に入射する光束が、非軸対称な光束であっても、撮像素子によって生成される画像データを処理することで、光軸対称な光束素子を示す画像データに変換することもできる。
【００２４】
例えば、第２型光学素子を含まない変倍光学系を備えるとともに、撮像素子の受光面への光束に基づいて、その撮像素子により生成される画像データを処理する制御部が備えられた撮像装置が挙げられる。この撮像装置では、制御部が、第１型光学素子によって非軸対称に変化させられた光束に基づく画像データを処理することで、軸対称の光束を示す画像データに変換するようになっている。
【００２５】
この変換としては、例えば、制御部が、予め定められた伸長係数を用いて、撮像素子の受光面上での第２方向に対応する光線に基づく画像データを伸長処理する場合が挙げられる。なお、伸長係数は、撮像素子の受光面上での第２方向に対応する光線の倍率から求められるようになっている。
【００２６】
以上のような変倍光学系を備える撮像装置は、変倍光学系のコンパクト化に伴って、比較的コンパクト化（薄型化）を実現できる。ただし、撮像装置において、極力コンパクトにしたい方向は定まっている。
【００２７】
例えば、光軸に対して直交する複数の異なる方向において、互いに直交する方向を、第１方向および第２方向と表す一方、光軸変更素子に入射する光線の光軸方向を入射方向とし、光軸変更素子によって屈折される光線の光軸方向を射出方向と表すとする。すると、かかる場合の撮像装置では、光軸変更素子が、入射方向を撮像装置において最も薄い厚み部分における方向に一致させるように配置されるとともに、入射方向と射出方向との成す角度を略９０°にするように光軸を屈折させている。その上、この撮像装置では、第１型光学素子は、射出方向に対する上記第２方向を、入射方向に一致させるように配置されている。
【００２８】
かかる構成であれば、第１型光学素子によって、光軸変更素子によって変倍光学系を短くしたい方向（入射方向）と、第１型光学素子によって光束の圧縮される方向（第２方向）と、撮像装置によって短くしたい方向（撮像装置において最も薄い部分における方向）と、が一致する。よって、このような撮像装置は、確実にコンパクト化を図れる。
【発明の効果】
【００２９】
本発明によれば、第１型光学素子を変倍光学系に加えることで、光束を光軸に対して非軸対称にしている。すると、非軸対称ゆえに圧縮される光束の方向に対応して、変倍光学系のレンズ群の径もコンパクトにできる。その結果、変倍光学系、ひいてはその変倍光学系を備える撮像装置のコンパクト化が実現する。
【発明を実施するための最良の形態】
【００３０】
［実施の形態１］
本発明の実施の一形態について、図面に基づいて説明すれば、以下の通りである。なお、各図において方向を示す矢印が有る場合、「●」は紙面に対して垂直方向を示している。
【００３１】
《１．デジタルスチルカメラの構成について》
《《１−１．デジタルスチルカメラの外観について》》
図９は、本発明の撮像装置の一例であるデジタルスチルカメラ（ＤＳＣ）３９を示している。また、図１０〜図１２は、ＤＳＣ３９の正面・背面・側面を示している（ただし、図１２は側面側からみた内部のレンズユニットＬＵの概略も図示している）。そして、図１３は、ＤＳＣ３９の内部構成を示している。なお、ＤＳＣ３９における高さ方向をＵ、水平方向をＶ、奥行き方向（幅方向）をＷ、と称する。
【００３２】
これらの図９または図１０に示すように、ＤＳＣ３９のカメラボディ（本体部）ＣＢの正面には、少なくとも、レンズユニットＬＵの前面（レンズユニットＬＵにおける最物体側のレンズ）を露出させる開口１１、光学ファインダ１２、フラッシュ発光部１３が、設けられている。
【００３３】
また、カメラボディＣＢの上面には、レリーズボタン１４ａ、およびメインスイッチ１４ｂが設けられている。なお、レリーズボタン１４ａは、撮影した画像の記録を指示するために操作される。一方、メインスイッチ１４ｂは、ＤＳＣ３９全体の動作の開始および停止、すなわち電源からの電力供給の開始および停止を指示するために操作される。
【００３４】
また、カメラボディＣＢの背面には、図１１に示すように、スライド式の操作スイッチ１４ｃ、ＬＣＤ１５ａ、４つの接点を有する操作キー１４ｄ、複数の操作ボタン１４ｅ、光学ファインダ１２の接眼窓１６、および蓋１７が設けられている。
【００３５】
本発明のＤＳＣ３９は、静止画を撮影するカメラモード、動画を撮影する動画モード、およびメモリカードに記録している画像を再生表示する再生モードの３つの動作モードを有する。操作スイッチ１４ｃは、これらのモードの切り替えのために操作される。操作スイッチ１４ｃの近くには、これらの動作モードを表す３つの記号が付されている。
【００３６】
ＬＣＤ１５ａは、ＤＳＣ３９の設定状態および操作案内を表示するとともに、撮影した画像や記録している画像を表示する。また、ＬＣＤ１５ａは、撮影した画像を直ちに表示してライブビューを提供し、これにより電子ビューファインダとして機能する。
【００３７】
操作キー１４ｄは、カメラモードおよび動画モードでは、ズーミングすなわち撮影倍率の変更のために操作される。なお、再生モードでは、操作キー１４ｄは、再生する画像の選択のために操作される。また、操作キー１４ｄは、ＬＣＤ１５ａに撮影条件設定の案内が表示されているときは、その表示に含まれるパラメータの選択のために操作される。
【００３８】
操作ボタン１４ｅは、操作案内の表示と非表示の切り替えのため、および選択されたパラメータの設定のために操作される。
【００３９】
蓋１７は、カメラボディＣＢの背面から側面に達するように設けられている。この蓋１７を開けたカメラボディＣＢ内部には、撮影した画像を記録する着脱可能なメモリカードを装着するためのスロット、およびＤＳＣ３９の電源である充電式の電池を装着するためのスロットが設けられている。そして、蓋１７は、装着されたメモリカードおよび電池を覆うようになっている。
【００４０】
《《１−２．デジタルスチルカメラの内部構成について》》
ここで、ＤＳＣ３９の内部構成について、図１３を用いて説明する。この図１３に示すように、ＤＳＣ３９は、光学系ユニットＯＵ、外部測定距離ユニット２１、画像処理部２２、タイミング制御回路２３、操作部１４、表示部１５、外部インターフェース部２６、電池２７、制御部３１、ＲＯＭ３２、およびＲＡＭ３３を含んでいる。
【００４１】
〈〈光学系ユニットについて〉〉
光学系ユニットＯＵは、複数のレンズ群（ＧＲ１〜ＧＲ５）を有する変倍光学系ＯＳと撮像素子ＳＲとから成るレンズユニットＬＵ、レンズ群移動部ＭＵ、および駆動パルスカウント部ＰＵを含んでいる。なお、レンズ群に付される数字は、物体側から像側に至るまでの順番を示している。
【００４２】
変倍光学系ＯＳは、レンズユニットＬＵに含まれる光学系であり、被写体（撮影対象）からの光線を取り込むものである。なお、この変倍光学系ＯＳは、各レンズ群（ＧＲ１〜ＧＲ５）の間隔を光軸に沿って変化させることで、ズーミングやフォーカシング等を行っている。
【００４３】
撮像素子ＳＲは、変倍光学系ＯＳによって取り込まれた光線（光像）を受光し、電気的信号（電子データ）に変換させるものである。例えばＣＣＤ（Charge Coupled Device）のエリアセンサやＣＭＯＳ（Complementary Metal Oxide Semiconductor）センサ等が挙げられる。なお、撮像素子ＳＲは、赤色（Ｒ）光、緑色（Ｇ）光、青色（Ｂ）光をそれぞれ選択的に受ける３種の画素を多数有している。
【００４４】
レンズ群移動部（駆動源）ＭＵは、変倍光学系ＯＳにおけるレンズ群ＧＲを移動させるものである。例えば、可動すべきレンズ群（例えばＧＲ２〜ＧＲ４）に対応するように設けられたステッピングモータ（Ｇ２Ｍ〜Ｇ４Ｍ；駆動源）が挙げられる。
【００４５】
駆動パルスカウント部ＰＵは、ステッピングモータ（Ｇ２Ｍ〜Ｇ４Ｍ）の駆動パルスをカウントすることで、移動するレンズ群（例えばＧＲ２〜ＧＲ４）の移動距離を計測し、各レンズ群の位置を求めるものである。
【００４６】
〈〈外部測定距離ユニットについて〉〉
外部測定距離ユニット２１は、例えば、被写体からの光線（反射光線）を受けて、その被写体までの距離を測定するパッシブ方式の測量を行うものである。
【００４７】
〈〈画像処理部について〉〉
画像処理部２２は、撮像素子ＳＲの電子データから画像データを形成するものである。具体的には、この画像処理部２２は、信号処理回路２２ａ、Ａ／Ｄコンバータ２２ｂ、黒レベル補正回路２２ｃ、ホワイトバランス調節回路（ＷＢ調節回路）２２ｄ、γ補正回路２２ｅ、および画像メモリ２２ｆを含んでいる。
【００４８】
信号処理回路２２ａは撮像素子ＳＲの各画素の出力するアナログ信号を処理するものであり、Ａ／Ｄコンバータ２２ｂは信号処理回路２２ａからの処理済みのアナログ信号をデジタル信号に変換するものである。
【００４９】
黒レベル補正回路２２ｃはデジタル信号全体のレベルを補正するものであり、ＷＢ調節回路２２ｄは撮像素子ＳＲの３種類の画素によって出力されるＲ・Ｇ・Ｂの３色信号のレベルを調整して画像のホワイトバランスを調節するものである。
【００５０】
γ補正回路２２ｅは表示に適するようにデジタル信号に非線形化処理を施すものであり、画像メモリ２２ｆは、信号処理回路２２ａ・Ａ／Ｄコンバータ２２ｂ・黒レベル補正回路２２ｃ・ＷＢ調節回路２２ｄ・γ補正回路２２ｅを経ることによって形成される画像データを一時的に記憶するものである。
【００５１】
〈〈タイミング制御回路について〉〉
タイミング制御回路２３は、制御部３１から送信される基準クロックに基づき、撮像素子ＳＲ、信号処理回路２２ａ、Ａ／Ｄコンバータ２２ｂの駆動制御信号を形成するものである。
【００５２】
〈〈操作部について〉〉
操作部１４は、ユーザーによる種々の操作内容を制御部３１に指示するためのボタン、スイッチ等である。そして、本発明のＤＳＣ３９では、少なくとも、上記した、レリーズボタン１４ａ、メインスイッチ１４ｂ、操作スイッチ１４ｃ、操作キー１４ｄ、操作ボタン１４ｅを含むようになっている。
【００５３】
〈〈表示部について〉〉
表示部１５は、ＶＲＡＭ１５ｂとＬＣＤ１５ａとを含んでいる。ＶＲＡＭ１５ｂはＬＣＤ１５ａに表示するための画像データを記憶するものであり、ＬＣＤ１５ａはＶＲＡＭ１５ｂに記憶されている画像データ等の種々のデータを表示するものである。
【００５４】
〈〈外部インターフェース部について〉〉
外部インターフェース部２６は、メモリカード２６ａや、そのメモリカード２６ａによる入出力を行うカードインターフェース（カードＩ／Ｆ）２６ｂを含んでいる。
【００５５】
〈〈電池および制御部について〉〉
電池２７は、上記してきた種々の部材に対して電力を供給するものである。そして、制御部３１は、ＤＳＣ３９全体の動作制御等を行う中枢部分となっており、ＤＳＣ３９の各部材の駆動を有機的に制御して、動作を統括制御するものである。例えば、本発明のＤＳＣ３９では、制御部３１は、動画撮影または静止画撮影の両撮影を可能にする制御や、ステッピングモーター（Ｇ２Ｍ〜Ｇ４Ｍ）の動作制御等を行うようになっている（なお、制御部３１については、後に詳説する）。
【００５６】
〈〈ＲＯＭおよびＲＡＭについて〉〉
ＲＯＭ（Read Only Memory）３２、またはＲＡＭ（Random Access Memory）３３は、制御部３１による各部材の動作制御に要する制御プログラムや、必要なデータテーブル等を記憶するものである。
【００５７】
《《１−３．レンズユニットの構成について》》
ここで、レンズユニットＬＵについて、図１・図２を用いて詳説する。なお、図１は、図１２を詳細にして、レンズユニットＬＵの内部を示した図である。また、図２はレンズユニットＬＵにおけるアナモフィックレンズＬ１（後述）、光学プリズムＰＲ、および撮像素子ＳＲを主体的に示した図である。
【００５８】
図１に示すように、レンズユニットＬＵは、変倍光学系ＯＳと撮像素子ＳＲとを含んでいる。そして、変倍光学系ＯＳは、複数のレンズや光学プリズムＰＲを含んでいる。特に、複数のレンズや光学プリズムＰＲは、いくつかに分けられて群（レンズ群）になっている。
【００５９】
例えば、図１の変倍光学系ＯＳは、物体側から像側（撮像素子ＳＲ）に至るまでに、５個のレンズ群（ＧＲ１〜ＧＲ５）を含んでいる。そして、光学プリズムＰＲは、最も物体側に近い第１レンズ群ＧＲ１に含まれている。なお、光学プリズムＰＲに入射する光線の光軸方向ＡＸは入射方向ＩＮと称される一方、その光学プリズムＰＲによって屈折される光線の光軸方向ＡＸは射出方向ＯＵＴと称される。そして、光学プリズムＰＲは、入射方向ＩＮと射出方向ＯＵＴとの成す角度を略９０°にするように、光軸ＡＸを屈折させている。
【００６０】
一方、撮像素子ＳＲは、上記したように、ＣＣＤのような光電変換素子である。そして、形状は、例えば矩形になっている。そこで、撮像素子ＳＲにおける辺の長さは、ｄS（短辺）、ｄL（長辺）と称する。
【００６１】
なお、ＣＣＤのような撮像素子ＳＲは、赤外線の波長域（長波長域）に対しても感度を有する。そのため、この赤外線（ＩＲ）に起因して、撮像素子ＳＲの受光面（撮像面）に悪影響が生じる場合がある。このような弊害を回避すべく、レンズユニットＬＵでは、撮像素子ＳＲに入射する光線から赤外線を除去（吸収）するＩＲカットフィルタＦＩが配置されてもよい。
【００６２】
〈〈アナモフィックレンズについて〉〉
ここで、レンズユニットＬＵに含まれるレンズ、具体的には、第１レンズ群ＧＲ１において、最も物体側に含まれるアナモフィックレンズＬ１について詳説する。なお、アナモフィックレンズＬ１は、図３（正面図）・図４（側面合成図）に示すような形状を有している。
【００６３】
アナモフィックレンズＬ１とは、光軸ＡＸに対して直交する複数の異なる方向毎に対応した屈折力（パワー；焦点距離の逆数にて定義）を有するレンズである。そのため、アナモフィックレンズＬ１のレンズ面は、数種の曲率を含む面になっている。例えば、図２・図３に示すように、光軸ＡＸに対して直交するとともに、互いに直交する２つの方向を、第１方向（水平方向）ＤＮ１および第２方向（垂直方向）ＤＮ２とする。すると、図４に示すように、第１方向ＤＮ１に対応する曲率を有する面はＣＶ１、第２方向ＤＮ２に対応する曲率を有する面はＣＶ２、として示される。
【００６４】
このようにレンズ面が２種類の曲率を含む面になっていると、その曲率に対応する屈折力が各々生じることになる。そのため、アナモフィックレンズＬ１を透過する光線において、互いに直交する方向（ＤＮ１・ＤＮ２）に対応した光線の焦点距離は、互いに異なるようになる。すると、撮像素子ＳＲの受光面上に照射される光束は、アナモフィックレンズＬ１の有無によって、異なった形状を示すようになる。
【００６５】
そこで、撮像素子ＳＲの受光面における任意の光束の形状について、図５・図６を用いて説明する。なお、アナモフィックレンズＬ１の無い場合とは、例えば、第１方向ＤＮ１・第２方向ＤＮ２に対応する曲率を同じにしたレンズ面ばかりを有し、撮像素子ＳＲの受光面上に、光軸ＡＸに対して軸対称な光束ＬＦNEL1を結像できる変倍光学系ＯＳの場合を意味している。
【００６６】
図５は、アナモフィックレンズＬ１の無い場合での撮像素子ＳＲの受光面上における光束NEL1を示している。一方、図６は、アナモフィックレンズＬ１の有る場合での撮像素子ＳＲの受光面上における光束EL1を示している。そして、図５での第１方向ＤＮ１に対応する光束の幅（幅長）をＤ１、第２方向ＤＮ２に対応する光束の幅をＤ２とする。また、図６での第１方向ＤＮ１に対応する光束の幅をＤＤ１、第２方向ＤＮ２に対応する光束の幅をＤＤ２とする。
【００６７】
すると、図５・図６に示すように、アナモフィックレンズＬ１の有る場合での光束ＬＦEL1は、アナモフィックレンズＬ１の無い場合での光束ＬＦNEL1に比べて、第２方向（圧縮方向）ＤＮ２において、圧縮されるようになっている。つまり、光束ＬＦEL1は、アナモフィックレンズＬ１によって、光軸に対して非軸対称に変化させられている。
【００６８】
これは、アナモフィックレンズＬ１のレンズ面において、第２方向に対応する屈折力が、第１方向に対応する屈折力よりも強いために生じる現象である。したがって、アナモフィックレンズＬ１は、幅長Ｄ１・幅長Ｄ２から成る光束ＬＦNEL1を、第２方向ＤＮ２において圧縮することで、幅長ＤＤ１・幅長ＤＤ２から成る光束ＬＦEL1へと倍率変化（圧縮）させるレンズといえる。
【００６９】
なお、光束ＬＦNEL1の幅長（Ｄ１・Ｄ２）を、光束ＬＦEL1の幅長（ＤＤ１・ＤＤ２）へと倍率変化させるための係数（Ｋ１・Ｋ２）は、下記のように表現できる。
Ｋ１＝ＤＤ１／Ｄ１
Ｋ２＝（ＤＤ２／Ｄ２）／Ｋ１
【００７０】
〈〈アナモフィックレンズによる光束への圧縮方向について〉〉
ところで、アナモフィックレンズＬ１による光束の圧縮機能を用いれば、変倍光学系ＯＳの厚みを薄くできる。なぜなら、圧縮されることで比較的コンパクトになった光束を集光できるレンズは、光束のサイズに対応してコンパクトになるためである。
【００７１】
すると、変倍光学系ＯＳ（ひいてはレンズユニットＬＵ）において、コンパクトにしたい方向とアナモフィックレンズＬ１の圧縮方向とが一致するようにしておけば、望ましいといえる。
【００７２】
通常、本発明のような光学プリズムＰＲを用いた変倍光学系（屈曲光学系）ＯＳは、光学プリズムＰＲに対する入射方向ＩＮの光軸ＡＸを屈折（直角屈折等）させることで、コンパクト化を実現させている。つまり、屈折光学系ＯＳは、ストレート光学系であれば入射方向ＩＮに沿って伸びるはずの方向（すなわち入射方向ＩＮ）を短くさせているといえる。
【００７３】
したがって、本発明の変倍光学系ＯＳでは、入射方向ＩＮと、アナモフィックレンズＬ１による圧縮方向である第２方向ＤＮ２とが一致すれば好ましい。具体的には、光学プリズムＰＲによって屈折させられた後の光軸方向ＡＸ（射出方向ＯＵＴ）に対する第２方向ＤＮ２と、入射方向ＩＮと、が一致すればよいといえる。
【００７４】
《《１−４．制御部の機能の一例について》》
ところで、アナモフィックレンズＬ１によって、光軸に対して非軸対称な光束ＬＦEL1が受光面上に結像した場合、この非軸対称な光束ＬＦEL1に基づく画像データ（非軸対称画像データ）が、そのままＬＣＤ１５ａ等に表示画像として映し出されるわけではない。つまり、撮像素子ＳＲが光束ＬＦEL1に基づいて形成した画像データは、制御部３１によって処理されることで、軸対称な光束に基づく画像データ（軸対称画像データ）へと変換されるようになっている。
【００７５】
この変換処理は、具体的には、伸長処理であり、予め定められた伸長係数を用いるような処理である。なお、伸長係数は、伸長させたい方向に対応する光線の倍率（圧縮率）から求められるようになっている。例えば、図６に示すような光束ＬＦEL1の場合、伸長係数は、第２方向ＤＮ２に対応する光線の倍率から求められるようになっており、その求められた伸長係数で、第２方向ＤＮ２に対応する光線に基づく画像データを伸長処理するようになっている。
【００７６】
このような変換処理が制御部３１（具体的には制御部３１に含まれる伸長回路３１ａ）によって行われると、ＬＣＤ１５ａ等に表示させる画像は、光軸ＡＸに対して軸対称になった光束に基づく画像データの表示画像と同等の表示画像になる。そのため、本発明のＤＳＣ３９は、ユーザーに違和感を感じさせるような画像をＬＣＤ１５ａに表示させることはない。また、このようなＤＳＣ３９では、非軸対称の光束ＬＦEL1を軸対称の光束ＬＦNEL1に復元するための別の光学素子が不要になる。そのため、レンズユニットＬＵ内やＤＳＣ３９内の限られたスペースを有効活用することができる。
【００７７】
《２．本発明における種々の特徴の一例について》
以上のように、レンズユニットＬＵに搭載された変倍光学系ＯＳは、物体側からの光線を撮像素子ＳＲの受光面上に結像させる複数のレンズ群（ＧＲ１〜ＧＲ５）と、これらの複数のレンズ群（ＧＲ１〜ＧＲ５）に導かれる光線の光路を屈折させる光学プリズムＰＲと、を含んでいる。その上、この変倍光学系ＯＳは、アナモフィックレンズＬ１も含んでいる。そして、このアナモフィックレンズＬ１は、光線の光束を光軸ＡＸに対して非軸対称に変化させるようになっている。
【００７８】
なお、このような変化（現象）は、アナモフィックレンズＬ１が光線の光軸ＡＸに対して直交する複数の異なる方向毎に対応する屈折力を有していることから生じる。例えば、図６に示すような光束ＬＦEL1が形成される場合には、アナモフィックレンズＬ１は、そのアナモフィックレンズＬ１における第２方向ＤＮ２に対応する屈折力を、第１方向ＤＮ１に対応する屈折力よりも強くしていることから生じる。
【００７９】
かかるように、光軸ＡＸに直交する一方向（例えば第２方向ＤＮ２）に対応した光束の幅（幅長ＤＤ２）が比較的短くなる場合、アナモフィックレンズＬ１よりも像側に位置するレンズやレンズ群（ＧＲ２〜ＧＲ５）は、短くなった一方向の光束の幅に対応して、レンズ径の一方向を短くできる。なぜなら、レンズは、比較的短くなった幅長（例えば幅長ＤＤ２）を有する光束を集光できる径（サイズ）を有していればよいためである。
【００８０】
すると、アナモフィックレンズＬ１を備えた変倍光学系ＯＳ（ひいてはレンズユニットＬＵ）は、アナモフィックレンズＬ１よりも像側に位置するレンズ群（ひいてはレンズ）を比較的コンパクトにできる。そのため、変倍光学系ＯＳ自体がコンパクトになる（アナモフィックレンズＬ１によるコンパクト効果が奏じる）。すると、このような変倍光学系ＯＳを備えるＤＳＣ３９自体も比較的コンパクトになるといえる。
【００８１】
また、本発明の変倍光学系ＯＳでは、光学プリズムＰＲは、入射方向ＩＮと射出方向ＯＵＴとの成す角度を略９０°にするように光軸ＡＸを屈折させる。そして、アナモフィックレンズＬ１および光学プリズムＰＲは、射出方向ＯＵＴに対する第２方向ＤＮ２と、入射方向ＩＮと、を同方向にするように配置されている。
【００８２】
上記したように、光学プリズムＰＲが用いられる変倍光学系（屈曲光学系）ＯＳは、光学プリズムＰＲに対する入射方向ＩＮの光軸ＡＸを屈折（直角屈折等）させることで、コンパクト化を実現している（光学プリズムＰＲによるコンパクト効果が奏じる）。
【００８３】
すると、この入射方向ＩＮと、アナモフィックレンズＬ１によって圧縮される方向（第２方向ＤＮ２）とが一致すると、光学プリズムＰＲによるコンパクト化の効果と、アナモフィックレンズＬ１によるコンパクト化の効果（圧縮方向に沿ったレンズ径のコンパクト化）とが相乗効果を発揮する。
【００８４】
特に、このような変倍光学系ＯＳを備えるレンズユニットＬＵを用いると、効果的にＤＳＣ３９のコンパクト化が図れる。例えば、ＤＳＣ３９において、最も薄くしたい部分の方向（例えば奥行き方向Ｗ）と、変倍光学系ＯＳの薄くなる方向（入射方向ＩＮ）とが一致する場合である。
【００８５】
そのために、ＤＳＣ３９では、光学プリズムＰＲが、入射方向ＩＮをＤＳＣ３９において最も薄い厚み部分における方向に一致させるように配置されるとともに、入射方向ＩＮと射出方向ＯＵＴとの成す角度を略９０°にするように光軸ＡＸを屈折させている。その上、アナモフィックレンズＬ１が、射出方向ＩＮに対する上記第２方向ＤＮ２を、入射方向ＩＮに一致させるように配置されている。
【００８６】
かかるようなＤＳＣ３９であれば、変倍光学系ＯＳにおいて比較的短くなる方向（第２方向ＤＮ２）とＤＳＣ３９の奥行き方向Ｗとが一致する。したがって、ＤＳＣ３９の厚みを決定付ける光束がアナモフィックレンズＬ１を用いることで圧縮し、本発明のＤＳＣ３９は、さらなるコンパクト化を実現できることになる。
【００８７】
ただし、過剰な光束の圧縮は、諸収差（例えば像面湾曲）を引き起こす原因になる。そのため、諸収差の発生を抑制しつつ、レンズユニットＬＵ（ひいてはＤＳＣ３９）のコンパクト化を図る範囲で、光束が圧縮されることが望ましい。
【００８８】
かかる範囲としては、光束の第１方向に対応する幅長に関する倍率係数Ｋ１は任意の数値であり、光束の第２方向に対応する幅長に関する倍率係数Ｋ２は、下記のようになっていればよい。
０．６０≦Ｋ２≦０．９５
【００８９】
［実施の形態２］
本発明の実施の形態２について説明する。なお、実施の形態１で用いた部材と同様の機能を有する部材については、同一の符号を付記し、その説明を省略する。
【００９０】
実施の形態１でのＤＳＣ３９では、制御部３１が、非軸対称画像データを伸長処理することで、軸対称画像データへと変換していた。しかし、本発明は、これに限定されるものではない。つまり、本発明のＤＳＣ３９は、制御部３１による伸長処理を施すことなく、ＬＣＤ１５ａ等に表示させる画像データを生成することもできる。
【００９１】
例えば、図７に示すように、アナモフィックレンズ（第１のアナモフィックレンズ）Ｌ１・光学プリズムＰＲよりも像側であり、かつ、撮像素子ＳＲよりも物体側に、第２のアナモフィックレンズ（第２型光学素子）Ｌ２が配置されるとよい。そして、この第２のアナモフィックレンズＬ２が、第１のアナモフィックレンズＬ１によって非軸対称に変化させられた光束を、光軸ＡＸに対して軸対称な光束に変化させるようになっていればよい。
【００９２】
そのために、第２のアナモフィックレンズＬ２は、第１のアナモフィックレンズＬ１同様に、光軸ＡＸに対して直交する複数の異なる方向毎に対応する屈折力を有している。ただし、第２のアナモフィックレンズＬ２は、第１のアナモフィックレンズＬ１とは逆のパワー関係になっている。
【００９３】
例えば、第１のアナモフィックレンズＬ１のレンズ面における２方向（ＤＮ１・ＤＮ２）において、強い屈折力を有する方向が第２方向ＤＮ２であり、弱い屈折力を有する方向が第１方向である場合、第２のアナモフィックレンズＬ２のレンズ面での２方向においては、第２方向ＤＮ２に対応する屈折力が弱く、第１方向ＤＮ１に対応する屈折力が強くなっている。
【００９４】
このように、第２アナモフィックレンズＬ２におけるパワー関係が、第１のアナモフィックレンズＬ１のパワー関係に対して逆になっていれば、第１のアナモフィックレンズＬ１によって、圧縮された方向の幅長を伸長でき、撮像素子ＳＲの受光面上に軸対称の光束を結像させることができる。
【００９５】
すると、実施の形態２にて説明するＤＳＣ３９は、実施の形態１にて説明するＤＳＣ３９に比べて、制御部３１に対する制御負荷（具体的には伸長処理に関する制御負荷）を低減できる。
【００９６】
なお、第２のアナモフィックレンズＬ２の配置は限定されるものではない。要は、第１のアナモフィックレンズＬ１によって非軸対称になった光束を、軸対称な光束にして撮像素子ＳＲに到達できるような位置に配置されていればよい。
【００９７】
ただし、アナモフィックレンズＬ１は、変倍光学系ＯＳにおけるレンズ群（具体的にはレンズ）の径を圧縮するために設けている。つまり、アナモフィックレンズＬ１は、変倍光学系ＯＳにおいて、最も大口径になりやすいレンズ群を小型にするために設けられている。すると、この最も径（レンズ径）の大きなレンズ群に光線の到達する前に、第２のアナモフィックレンズＬ２が位置していると、レンズ群の小型化が図りにくいといえる。
【００９８】
また、第１のアナモフィックレンズＬ１および第２のアナモフィックレンズＬ２が、光学プリズムＰＲよりも物体側に配置されてると、アナモフィックレンズＬ１によるコンパクト化の効果と光学プリズムＰＲによるコンパクト化の効果とが相乗効果を発揮できない。そこで、本発明の変倍光学系ＯＳでは、第２のアナモフィックレンズＬ２は、光学プリズムＰＲよりも像側に位置するレンズ群で、最も径の大きなレンズ群よりも、像側に配置されていると望ましい。
【００９９】
［その他の実施の形態］
なお、本発明は上記の実施の形態に限定されず、本発明の趣旨を逸脱しない範囲で、種々の変更が可能である。
【０１００】
例えば、アナモフィックレンズＬ１とは、光軸ＡＸに対して直交する複数の異なる方向毎に対応する光線の焦点距離に、差を生じさせるレンズの総称である。したがって、かかるような差を生じさせるレンズは多々想定できる。例えば、シリンドリカルレンズ、トロイダルレンズ、自由曲面レンズ等が挙げられる。また、光軸ＡＸに対して直交する複数の異なる方向毎に対応する光線の焦点距離に、差を生じさせるミラーやプリズムを使用することもできる。例えば、曲面反射ミラーや曲面反射プリズムである。
【０１０１】
また、アナモフィックレンズＬ１は、光学プリズムＰＲよりも物体側に配置されていてもよいし、光学プリズムＰＲに取り付けられてもよい。また、光学プリズムとアナモフィックレンズとが一体的に成型された単一の光学素子になっていてもよい。いずれの構成であっても、撮像素子ＳＲの受光面上に至るまでに、光束を非軸対称に変化させることができるためである。
【０１０２】
また、アナモフィックレンズＬ１は、ズーミング（変倍）等のときに、不動（固定）になっていると望ましい。このような構成であれば、アナモフィックレンズＬ１の移動に起因する諸収差の発生が抑制される。また、移動しないために、アナモフィックレンズＬ１が所定位置からはずれたり傾いたりするような事態も抑制される。
【０１０３】
また、図２に示すＤＳＣ３９においては、変倍光学系ＯＳ（ひいてはレンズユニットＬＵ）は、ＤＳＣ３９の高さ方向Ｕと、光学プリズムＰＲを経過した後の光線における光軸方向ＡＸ（射出方向ＯＵＴ）と一致するように配置されている（縦置き配置になっている）。そして、ＤＳＣ３９の水平方向Ｖと同方向を第１方向（水平方向）ＤＮ１、高さ方向Ｕと同一方向を第２方向（垂直方向）ＤＮ２と定義している。しかし、変倍光学系ＯＳの配置はこれに限定されるものではない。
【０１０４】
例えば、図８に示すように、変倍光学系ＯＳは、ＤＳＣ３９の水平方向Ｖと、光学プリズムＰＲを経過した後の光線における光軸方向ＡＸ（射出方向ＯＵＴ）とを一致するように配置されていてもよい（横置き配置でもよい）。なお、かかる配置では、ＤＳＣ３９の高さ方向Ｕと同方向を第１方向（垂直方向）ＤＮ１、水平方向Ｖと同一方向を第２方向（水平方向）ＤＮ２と定義すればよい。かかるような変倍光学系ＯＳの配置であっても、上記してきた特徴を有し、その特徴に対応する作用効果を奏じることはいうまでもない。
【０１０５】
なお、図２・図８に示すレンズユニットＬＵでは、光学プリズムＰＲで屈折した光線の光軸に対する第１方向ＤＮ１・第２方向ＤＮ２は、撮像素子ＳＲの長辺ｄLは・短辺ｄSと同方向になっている。したがって、かかる場合、第１方向ＤＮ１を長辺方向、第２方向を短辺方向と称してもよい。
【図面の簡単な説明】
【０１０６】
【図１】レンズユニットの内部構成を示した概略構成図である。
【図２】図１におけるアナモフィックレンズ、光学プリズム、撮像素子を主体的に示した概略斜視図である。
【図３】アナモフィックレンズの正面を示した正面図である。
【図４】正面における垂直方向からみたアナモフィックレンズの側面を示した側面図である。
【図５】レンズ群および光学プリズムによって導かれることで、撮像素子の受光面上に結像する光束を示す平面図である。
【図６】アナモフィックレンズ、レンズ群、および光学プリズムによって導かれることで、撮像素子の受光面上に結像する光束を示す平面図である。
【図７】図１の他の一例を示すレンズユニットの内部構成を示す概略構成図である。
【図８】図２の他の一例を示すアナモフィックレンズ、光学プリズム、撮像素子を主体的に示した概略斜視図である
【図９】デジタルスチルカメラの外観斜視を示す斜視図である。
【図１０】デジタルスチルカメラの正面を示す正面図である。
【図１１】デジタルスチルカメラの背面を示す背面図である。
【図１２】デジタルスチルカメラの側面を示す側面図である。
【図１３】デジタルスチルカメラの内部構成を示す概略構成図である。
【符号の説明】
【０１０７】
３１      制御部
３１ａ    伸長回路（制御部）
３９      デジタルスチルカメラ（撮像装置）
ＯＵ      光学系ユニット
ＬＵ      レンズユニット
ＯＳ      変倍光学系
ＧＲ      レンズ群
ＳＲ      撮像素子
ＰＲ      光学プリズム（光軸変更素子）
Ｌ１      第１のアナモフィックレンズ（第１型光学素子）
Ｌ２      第２のアナモフィックレンズ（第２型光学素子）
ＡＸ      光軸（光軸方向）
ＩＮ      入射方向（光軸方向）
ＯＵＴ    射出方向（光軸方向）
ＤＮ１    第１方向
ＤＮ２    第２方向
ＬＦNEL1 レンズ群および光学プリズムによって撮像素子に導かれる光束
ＬＦEL1  第１のアナモフィックレンズ、レンズ群、および光学プリズムによって撮              像素子に導かれる光束
Ｄ１      光束ＬＦNEL1における第１方向の光束の幅（第１幅長Ｄ１）
Ｄ２      光束ＬＦNEL1における第２方向の光束の幅（第２幅長Ｄ２）
ＤＤ１    光束ＬＦEL1における第１方向の光束の幅（第１幅長ＤＤ１）
ＤＤ２    光束ＬＦEL1における第２方向の光束の幅（第２幅長ＤＤ２）
Ｕ        デジタルスチルカメラにおける高さ方向
Ｖ        デジタルスチルカメラにおける水平方向
Ｗ        デジタルスチルカメラにおける奥行き方向（撮像装置において最も薄い厚              み部分における方向）
【図１】
2007065528.tif 000003
【図２】
2007065528.tif 000004
【図３】
2007065528.tif 000005
【図４】
2007065528.tif 000006
【図５】
2007065528.tif 000007
【図６】
2007065528.tif 000008
【図７】
2007065528.tif 000009
【図８】
2007065528.tif 000010
【図９】
2007065528.tif 000011
【図１０】
2007065528.tif 000012
【図１１】
2007065528.tif 000013
【図１２】
2007065528.tif 000014
【図１３】
2007065528.tif 000015